(57)【特許請求の範囲】
【請求項１】
固定側部材に対してスライド自在に取り付けられた移動体と、前記移動体の移動によって電気的出力を変化する電気機能部とを具備するスライド式電子部品において、
前記移動体には、線材をコイル状に巻き回したコイル部の両端から引出部を引き出してなるねじりコイルバネを取り付けるとともに、両引出部に当接する引出部当接部を設け、
一方固定側部材には移動体の移動によって移動するねじりコイルバネの両引出部にそれぞれ当接してその移動を阻止する係止部を設け、
さらに前記ねじりコイルバネは、少なくとも一回転以上巻き回したコイル部を有し、且つ前記コイル部において線材を隣接する他の線材の外側又は内側から乗り越えさせることによって両端の引出部が同一面となるように構成されており、
移動体を何れか一方の方向に移動した際に一方の引出部が固定側部材の一方の係止部に係止してねじりコイルバネが絞られて弾発復帰力が発生することを特徴とするスライド式電子部品。
【発明の詳細な説明】
【０００１】
【発明の属する技術分野】
本発明は、スライド式可変抵抗器やスライド式スイッチ等のスライド式電子部品に関するものである。
【０００２】
【従来の技術】
従来、スライド式電子部品は、ケース等の固定側部材に対して、摺動子を取り付けた摺動型物をスライド自在に取り付け、摺動型物の下側に前記摺動子が摺接する摺接パターンを設けた基板を配置し、前記摺動型物に取り付けたつまみをスライド移動することで、摺動子を摺接パターンに摺接させ、これによってその電気的出力を変化するように構成されていた。
【０００３】
一方前記構造のスライド式電子部品においてつまみ及び摺動型物を所定の位置に自動復帰させる手段として、圧縮コイルバネが利用されてきた。
【０００４】
しかしながら圧縮コイルバネをスライド式電子部品の自動復帰手段として用いた場合、以下のような問題点があった。
▲１▼圧縮コイルバネはそのコイル中心軸が摺動型物の移動方向に対して平行になるようにスライド式電子部品内に取り付けられるため、スライド式電子部品内には少なくとも圧縮コイルバネを収納するために厚み方向へ向けて圧縮コイルバネの直径分の厚みの収納スペースが必要になり、この収納スペース分だけスライド式電子部品の薄型化が図れない。
【０００５】
▲２▼例えば図４（ａ）に示すように圧縮コイルバネ２００の端面はその一部がケース等の固定側部材２１０の当接面２１１に、その他の部分が摺動型物等の移動体２２０の当接面２２１に当接しており、図４（ｂ）に示すように移動体２２０を矢印方向へ移動させることによって圧縮コイルバネ２００を圧縮するが、この圧縮の際に移動体２２０の端面２２１に載っていた圧縮コイルバネ２００のバネ端２０１が、図４（ｃ）に示すように移動体２２０から外れることがあり、そのときバネ端２０１の次の端面２０３が移動体２２０の当接面２２１に強く衝突することで大きな音が発生する場合があった。
【０００６】
【発明が解決しようとする課題】
本発明は上述の点に鑑みてなされたものでありその目的は、厚みの薄型化が図れ、また移動体による弾発手段押圧時に音が発生することのないスライド式電子部品を提供することにある。
【０００７】
【課題を解決するための手段】
上記問題点を解決するため本発明は、固定側部材に対してスライド自在に取り付けられた移動体と、前記移動体の移動によって電気的出力を変化する電気機能部とを具備するスライド式電子部品において、前記移動体には線材をコイル状に巻き回したコイル部の両端から引出部を引き出してなるねじりコイルバネを取り付けるとともに両引出部に当接する引出部当接部を設け、一方固定側部材には移動体の移動によって移動するねじりコイルバネの両引出部にそれぞれ当接してその移動を阻止する係止部を設け、さらに前記ねじりコイルバネは、少なくとも一回転以上巻き回したコイル部を有し、且つ前記コイル部において線材を隣接する他の線材の外側又は内側から乗り越えさせることによって両端の引出部が同一面となるように構成されており、移動体を何れか一方の方向に移動した際に一方の引出部が固定側部材の一方の係止部に係止してねじりコイルバネが絞られて弾発復帰力が発生することを特徴とする。
【０００９】
また、前記移動体の引出部突出部には内側に向けて突出して前記引出部突出部からの引出部の抜けを防止する抜け防止部を設け、さらに前記ねじりコイルバネは同一面となった両引出部が前記抜け防止部から離れた位置に位置するように設置することが好ましい。
【００１０】
【発明の実施の形態】
以下、本発明の実施の形態を図面を参照して詳細に説明する。
図１は本発明の一実施形態にかかるスライド式電子部品１の分解斜視図である。同図に示すようにこのスライド式電子部品１は、基台１０上に、フレキシブル基板２０と、摺動子５０及びねじりコイルバネ６０を取り付けた摺動型物３０と、固定側部材（以下「ケース」という）７０と、つまみ９０とを設置して構成されている。以下各構成部品について説明する。
【００１１】
基台１０は金属やモールド樹脂等の硬質板によって構成されている。またフレキシブル基板２０は可撓性を有する合成樹脂フイルム２１上に所望のパターン（図ではスイッチパターンであるが、抵抗体パターンなどでも良い）２３を形成して構成されている。
【００１２】
図２は摺動子５０とねじりコイルバネ６０を取り付けた摺動型物３０を示す図であり、同図（ａ）は平面図、同図（ｂ）は同図（ａ）のＡ−Ａ概略断面図、同図（ｃ）は側面図である。同図及び図１に示すように摺動型物３０は、合成樹脂を略平板状で矩形状に一体成形して構成されており、その上面中央にはねじりコイルバネ６０を収納するためのリング状の収納凹部３１が設けられ、また収納凹部３１中央の突出部３３中にはこれを横切って下記するつまみ９０の連結部９１を挿入する凹状の挿入部３５が設けられ、また挿入部３５の底面には下記するつまみ９０の２つの固定用突起９３，９３をそれぞれ挿入する貫通孔からなる挿入穴３７，３７が設けられ、また摺動型物３０の一側辺には前記収納凹部３１に連通するように上側から凹状に切り欠いてなる引出部突出部３９が設けられている。引出部突出部３９の上端内側の対向する部分には、内側に向けて突出する突起状の抜け防止部４１，４１が設けられおり、また両抜け防止部４１，４１の下側の対向する辺４３，４３を引出部当接部としている。
【００１３】
一方図２（ｂ）に示すように、摺動型物３０の下面には凹状の摺動子収納部４３が設けられ、その底面の所定位置からは突起状の摺動子固定部４５が突出している（図２（ｂ）では摺動子固定部４５の先端を熱カシメして摺動子５０を固定した状態を示している）。なお前記挿入穴３７，３７の下部はこの摺動子収納部４３内に開口している。
【００１４】
摺動子５０は図１に示すように、導電性を有する弾性金属板によって構成されており、平板状の基部５１の一端から２本の摺動冊子５３，５３を突出してこれらを下側に折り曲げている。基部５１には固定用穴５５が設けられている。
【００１５】
ねじりコイルバネ６０は弾性を有する金属製の線材を、２ターン弱コイル状に巻き回したコイル部６１の両端の引出部６３，６５を半径方向外側に向けて折り曲げて引き伸ばして構成されている。特にこの実施形態におけるねじりコイルバネ６０は、コイル部６１において一方の線材が隣接する他方の線材をその外側（又は内側）から乗り越えることによって、両端の引出部６３，６５が同一面（この実施形態ではコイル部６１の下側の面）に位置するように構成されている。
【００１６】
次に図１に示すケース７０は合成樹脂を略板状に成形して構成されており、その所定位置には下記するつまみ９０を矢印Ｂ，Ｃ方向にスライド自在に収納する寸法形状の凹状のつまみ収納部７１が設けられ、またつまみ収納部７１の内部には下記するつまみ９０の連結部９１を挿入・貫通する貫通孔７３が設けられている。一方ケース７０下面のつまみ収納部７１に対向する位置には、矩形状のガイド壁７５を設けることでその内部に前記摺動型物３０をスライド自在に収納する摺動型物収納部７７が設けられている。
【００１７】
またガイド壁７５の一側辺（摺動型物３０の引出部突出部３９を設けた側の辺）には、ガイド壁７５を設けないことで構成される切欠き部７９が設けられ、また切欠き部７９の外側の左右両側には、下方向に向けて円柱状に突出する係止部８１，８１が設けられている。係止部８１，８１はケース７０の下面から突出するケース７０と一体の合成樹脂からなる支柱８３，８３の外周に、パイプ状の例えばゴム製又は合成樹脂製等からなる弾性体８５，８５を取り付けて構成されている。
【００１８】
次につまみ９０は、合成樹脂を略平板状で長円形状に成形して構成されており、その下面中央から前記ケース７０の貫通孔７３の幅よりも少し小さい幅寸法であって前記摺動型物３０の挿入部３５内に挿入される寸法形状の連結部９１を突出し、連結部９１の下面両端から前記摺動型物３０の挿入穴３７，３７に挿通される寸法形状の固定用突起９３，９３を突出して構成されている。
【００１９】
そしてこのスライド式電子部品１を組み立てるには、先ず予め摺動型物３０下面の摺動子収納部４３内の面に摺動子５０を取り付け、その際摺動子５０の固定用穴５５に挿入した摺動子固定部４５先端を熱カシメして固定しておく。また摺動型物３０上面の収納凹部３１内にねじりコイルバネ６０のコイル部６１を収納して両端の引出部６３，６５を引出部突出部３９内から外部に突出し、引出部６３，６５の外側部分をそれぞれ引出部当接部４３，４３に当接させておく。このときの状態が図２に示されている。
【００２０】
そして図１に示すように、ケース７０上面のつまみ収納部７１内につまみ９０を収納・載置し、一方ケース７０下面の摺動型物収納部７７内に前記摺動子５０とねじりコイルバネ６０とを取り付けた摺動型物３０を収納し、その際ケース７０の貫通孔７３を貫通して下面側に突出するつまみ９０の連結部９１を摺動型物３０の挿入部３５内に挿入して挿入部３５内に設けた挿入穴３７，３７（図２（ａ）参照）に固定用突起９３，９３を挿入してその先端を摺動型物３０下面の摺動子収納部４３内で熱カシメしてつまみ９０と摺動型物３０とを一体化する。このときねじりコイルバネ６０の両引出部６３，６５は、図３（ａ）に示すようにその両外側部分がケース７０に設けた係止部８１，８１外周側面（弾性体８５，８５の部分）に当接している。
【００２１】
そしてケース７０の下側にフレキシブル基板２０と基台１０とを配置し、ケース７０と基台１０間を図示しない部分において一体に固定すれば、このスライド式電子部品１が完成する。
【００２２】
そしてつまみ９０をつまみ収納部７１内において左右（矢印Ｂ，Ｃ方向）にスライド移動すれば、摺動型物３０が摺動型物収納部７７内において左右にスライド移動し、これによって摺動子５０がパターン２３上を摺動し、その出力（この実施形態ではスイッチのオンオフ出力）が変化する。
【００２３】
一方つまみ９０と摺動型物３０はねじりコイルバネ６０の作用によって常に中立位置に自動復帰しようとするが、その動作を説明する。図３（ａ）〜（ｃ）は摺動型物３０のねじりコイルバネ６０による中立点への自動復帰動作説明図である。まず摺動型物３０に外部から操作力がかけられていない場合は、図３（ａ）に示すようにねじりコイルバネ６０の引出部６３，６５はそれぞれケース７０の係止部８１，８１に同じ力で当接し、これによって摺動型物３０は中立位置に保持されている。
【００２４】
次に図３（ｂ）に示すように摺動型物３０を一方の方向Ｂにスライド移動させた場合、一方の引出部６３は係止部８１に当接したままであるが、他方の引出部６５は摺動型物３０の引出部当接部４３（図１参照）に当接して押圧されるので係止部８１から離れる。これによってねじりコイルバネ６０はそのねじり量が増えるので元の形状への弾発復帰力、即ち摺動型物３０への中立位置への自動復帰力が働く。従って摺動型物３０への操作力を解除すると、摺動型物３０は図３（ａ）に示す中立位置へ自動復帰する。その際引出部６５は係止部８１に強く当接するが、係止部８１の外周は弾性体８５によって構成されているので音が発生することはない。一方摺動型物３０を図３（ｃ）に示すように反対の方向Ｃにスライド移動させた場合も同様である。
【００２５】
このスライド式電子部品１においては、中点復帰のための弾発手段であるねじりコイルバネ６０の厚みが、その線材二本分以下の厚みしかないので、圧縮コイルバネを用いる場合に比べてその厚みの薄型化が図れる。
【００２６】
ところで図３（ｂ），（ｃ）に示すように摺動型物３０を矢印Ｂ又はＣ方向に移動させたとき、係止部８１に当接している側の引出部６３又は６５は、摺動型物３０の片側の抜け防止部４１から離れる。このためもしねじりコイルバネ６０の両引出部６３，６５間を圧縮した際にねじりコイルバネ６０全体が傾いて係止部８１に当接している側の引出部６３又は６５が抜け防止部４１の上側に移動したら、摺動型物３０が図３（ａ）に示す中立位置に戻る際にその引出部６３又は６５は抜け防止部４１から外れてしまう恐れがある。
【００２７】
そこで本実施形態においては、前述のようにねじりコイルバネ６０の両引出部６３，６５を同一面に位置するように構成し、これによって両者間が接近するように押圧（圧縮）されたときにねじりコイルバネ６０全体が傾かないようにし、これによって係止部８１に当接している側の引出部７３又は７５が抜け防止部４１から抜け出ることを防止している。
【００２８】
さらにこの実施形態においては、図２（ｃ）に示すようにコイル部６１の下側の面に、即ち抜け防止部４１から離れている位置（この実施形態ではコイル部６１の１ターンの線材の直径分だけ離れている位置）において両引き出し部６３，６５が引出部当接部４３，４３に当接するように構成しているので、さらに確実に引出部６３又は６５の抜け防止部４１からの抜けが防止される。
【００２９】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。
【００３０】
例えば上記実施形態ではねじりコイルバネ６０を係止する係止部８１をケース７０に設けたが、ケース７０以外の各種固定側部材に設けてもよい。また上記実施形態では消音のために係止部８１の外周に弾性体８５を取り付けたが、弾性体８５は省略しても良い。また上記実施形態では摺動子５０とパターン２３とによって電気的機能部を構成したが、他の各種構造の電気的機能部であっても良く、要は移動体の移動によって電気的出力を変化する電気機能部であればどのような構造のものであっても良い。また上記実施形態ではねじりコイルバネ６０のコイル部６１を２ターン弱コイル状に巻き回して構成したが、他のターン数だけ巻き回して構成しても良い。
【００３１】
【発明の効果】
以上詳細に説明したように本発明によれば以下のような優れた効果を有する。
▲１▼ねじりコイルバネの厚みが巻き回した線材の本数分以下の厚みしかないので、スライド式電子部品全体の厚みの薄型化が図れる。
【００３２】
▲２▼ねじりコイルバネの引出部間を圧縮して絞られることによる弾発力を利用するので、移動体によるねじりコイルバネ押圧時に音が発生しない。
【００３３】
▲３▼ねじりコイルバネのコイル部の線材を隣接する他の線材の外側又は内側から乗り越えさせることによって、両端の引出部を同一面となるように構成したので、両引出部間を接近するように押圧したときにねじりコイルバネ全体が傾くことはなく、これによって両引出部とこれを取り付けている移動体との係合が外れることが防止される。
【００３４】
▲４▼ねじりコイルバネの両引出部を抜け防止部から離れた位置に位置するように設置した場合は、さらに確実に引出部の抜け防止部からの抜けが防止される。
【図面の簡単な説明】
【図１】本発明の一実施形態にかかるスライド式電子部品１の分解斜視図である。
【図２】摺動子５０とねじりコイルバネ６０を取り付けた摺動型物３０を示す図であり、図２（ａ）は平面図、図２（ｂ）は図２（ａ）のＡ−Ａ概略断面図、図２（ｃ）は側面図である。
【図３】ねじりコイルバネ６０を取り付けた摺動型物３０の動作説明図である。
【図４】従来のスライド式電子部品の自動復帰手段の問題点説明図である。
【符号の説明】
１  スライド式電子部品
１０  基台（固定側部材）
２０  フレキシブル基板（固定側部材）
２３  パターン（電気機能部）
３０  摺動型物（移動体）
３１  収納凹部
３９  引出部突出部
４１  抜け防止部
４３  引出部当接部
５０  摺動子（電気機能部）
６０  ねじりコイルバネ
６１  コイル部
６３，６５  引出部
７０  ケース（固定側部材）
８１  係止部
８３  支柱
８５  弾性体
９０  つまみ（移動体）
【図１】
0003646089.tif 000002
【図２】
0003646089.tif 000003
【図３】
0003646089.tif 000004
【図４】
0003646089.tif 000005